(57)【要約】本発明は、接触することなく駆動することができ、互いに直列に接続してセキュリティチェーンＳを形成するいくつかのスイッチング装置１を備える、昇降機用のモニター装置に関する。スイッチング装置１は、問合せユニット２および応答ユニット３を備える。応答ユニット３は、両者が十分に近接しているとき、問合せユニット２によって発生されたパターンＭに専ら反応する。信頼性が高く、トラブルのないモニターが可能にされ、このようにして昇降機装置の信頼性の高い動作が保証される。
2004505868.tif 000002
【特許請求の範囲】
【請求項１】
少なくとも１つの接触することなく駆動可能なスイッチング装置（１）を備える昇降機用モニター装置であって、前記スイッチング装置（１）は、アクティブユニット（２）により発生されたパターン（Ｍ）によってパッシブユニット（３）が専ら励起されるように構成されている、アクティブユニット（２）およびパッシブユニット（３）を備えることを特徴とするモニター装置。
【請求項２】
前記パッシブユニット（３）が、前記アクティブおよびパッシブユニット（２、３）の間の所定の間隔から、前記アクティブユニット（２）の前記パターン（Ｍ）によって励起されることを特徴とする請求項１に記載のモニター装置。
【請求項３】
いくつかのスイッチング装置（１）および中央チェッキングユニット（１２）が設けられ、セーフティチェーン（Ｓ）内に接続されていることを特徴とする請求項１または２に記載のモニター装置。
【請求項４】
前記スイッチング装置（１）と前記中央チェッキングユニット（１２）が、直列に接続されていることを特徴とする請求項３に記載のモニター装置。
【請求項５】
前記アクティブユニット（２）が第１コイル（４）を備え、前記パッシブユニット（３）が第２コイル（５）を備えることを特徴とする請求項１から４のいずれか一項に記載のモニター装置。
【請求項６】
前記パッシブユニット（３）が、エネルギーを蓄積するエネルギー蓄積部（１１）を備えることを特徴とする請求項１から５のいずれか一項に記載のモニター装置。
【請求項７】
前記パターン（Ｍ）が、ビットパターンまたはビットシークエンスによって表現することができる数であることを特徴とする請求項１から６のいずれか一項に記載のモニター装置。
【請求項８】
前記昇降機が、第１ドアパネル（３２’）および第２ドアパネル（３２”）を備える少なくとも１つの昇降機ドア（３２）を備え、前記アクティブユニット（２）が前記第１ドアパネル（３２’）に配置され、前記パッシブユニット（３）が前記第２ドアパネル（３２”）に配置されていることを特徴とする請求項１から７のいずれか一項に記載のモニター装置。
【請求項９】
昇降機ドア（３２）が、シャフトドアまたはケージドアであることを特徴とする請求項８に記載のモニター装置。
【請求項１０】
前記アクティブユニット（２）がトランシーバとして構成され、前記パッシブユニット（３）がトランポンダとして構成されていることを特徴とする請求項１から９のいずれか一項に記載のモニター装置。
【請求項１１】
パターン（Ｍ）がアクティブユニット（２）によって発生されてパッシブユニット（３）へ送信され、前記パターン（Ｍ）が、前記アクティブおよびパッシブユニット（２、３）の間の所定の間隔で前記パッシブユニット（３）によって受信され、応答（Ｍ’）が前記パッシブユニット（３）によって発生されて前記アクティブユニット（２）へ送信され、前記応答（Ｍ’）が前記アクティブユニット（２）によって受信される昇降機をモニターする方法。
【請求項１２】
所定の間隔を超えた場合、パッシブユニット（３）によって応答（Ｍ’）が発生されないことを特徴とする請求項１１に記載の方法。
【発明の詳細な説明】
【０００１】
本発明は、少なくとも１つの接触することなしに駆動可能なスイッチング装置を備える、昇降機用モニター装置に関する。
【０００２】
昇降機装置では、たとえば昇降機の移動などの個々の動作は、スイッチング装置の支援によって一般にモニターされている。いくつかのこのようなスイッチング装置は、計画された動作を行うことを可能にするために、特殊な状態を有さなければならない。特に、昇降機装置の場合、昇降機ケージの始動前および移動中に、確実にすべてのドアが閉じたままにし、機械的に施錠しなければならない。
【０００３】
センサを備え、接触することなしに起動させることができるスイッチング装置と、セーフティチェーンとを備える、制御デバイス用のモニタリング装置が、欧州特許第　０　５３５　２０５号明細書から知られている。スイッチおよびセンサは、磁石が接近すること、または遠ざかることによって駆動される。
【０００４】
この磁石が、選択したスイッチまたはセンサのために意図された正しい磁石であるかどうかにかかわらず、スイッチまたはセンサが各磁石に反応するということが、この解決法での不利点である。適切な材料の接近は、有効信号を起動するのに十分である。スイッチは、磁石の作動領域内に置かれると直ちに、有効信号を起動する。スイッチまたはセンサの不良な機能（誤起動）は、かなりの費用をかけなければ排除することは困難である。たとえば物品および／または外的干渉によって、誤起動が引き起こされることがあり、これは、昇降機装置の安全な動作に危険をもたらす。
【０００５】
本発明は、前述の欠点を有さない、外乱なしでの信頼性高いモニタリングを可能にする、冒頭で述べた種類の昇降機用モニター装置を提案するという目的を有する。さらに、該モニター装置は、物品および外部操作に対して不感受性である。モニターされる構成要素は、モニター装置を用いて明確に識別可能である。
【０００６】
この目的は、請求項１の特徴によって対処される。
【０００７】
１つの利点は、たとえば大域的に固有なパッシブユニットなどによってのみ、有効信号を起動させることができるということに見られる。範囲内に正しいパッシブユニットを有さなければ、アクティブユニットは、有効信号を発生させることはできない。別の利点は、経済的に作成することができる要素によって、モニタリングが保証されることにある。
【０００８】
請求項１に示されたモニター装置の有利な発展形態および改良形態は、各従属請求項に示された手段によって可能である。
【０００９】
いくつかのスイッチング装置を機能上の能力および状態に関して同時にモニタできることが、さらなる利点である。いくつかのアクティブユニットの連結は、誤った解釈による互いの影響を除外することができるようにすべてのパッシブユニットの応答が連結されるようにして行われる。
【００１０】
アンテナとして動作するコイルの近傍を通ってのみ、アクティブユニットとパッシブユニットの間のデータ交換を行うことができることが、さらなる利点である。
【００１１】
また、有利なことに、パッシブユニットがそれ自体のエネルギー供給源またはバッテリを必要としない。このことは、パッシブユニットが、アクティブユニットによって伝達されるエネルギーを蓄積することができるエネルギー蓄積部を備えることによって達成される。エネルギーは、このようにして節減される。応答発生のためのエネルギーを伝達しなければならないため、自発的な動作は可能ではない。
【００１２】
ここに説明されたすべての特徴は、それぞれここに述べた組合せだけでなく、他の組合せまたはそれ自体でも、本発明の範囲を逸脱することなく使用可能である。
【００１３】
本発明の様々な実施形態が、概略図で示され、以下の説明でより詳細に説明されている。
【００１４】
図１に、問合せユニット２として構成されたアクティブユニット、応答ユニット３として構成されたパッシブユニットを備える、電子式セーフティチェーンのスイッチング装置１が示されている。応答ユニット３は、たとえば、トランスポンダ、タグ、スマートカードまたはチップカードなどであってよい。問合せユニット３は、第１コイル４を備え、応答ユニット３は、第２コイル５を備える。問合せユニット２および応答ユニット３は、いわゆる休止状態で配置されている、すなわち、両者間に干渉が、したがって電磁的結合が起こらないような距離だけ互いに離隔されている。問合せユニット２は、パターンＭを発生させる。このパターンＭは、応答ユニット３に送信され、応答ユニット３はそれには応答しない。
【００１５】
図２に、図１のものと同じスイッチングユニット１が示されているが、この場合いわゆる作動状態にある。問合せユニット２および応答ユニット３は、互いに近接して配置されているため、干渉が生じる。したがって、問合せユニット２と応答ユニット３の間に電磁的結合が生じる。問合せユニット２によって発生されたパターンＭに対して、応答ユニット３の側で、複雑な応答Ｍ’が与えられる。
【００１６】
一実施形態では、問合せユニット２は、ジェネレータ６と、第１変調器７と、第１復調器８とを備えることができる。ジェネレータ６は、たとえばＨＦジェネレータ、ＲＦジェネレータなどであってもよい。応答ユニット３もまた、第２変調器９および第２復調器１０を備えることができる。応答ユニット３は、キャパシタンスを有するキャパシタとして構成されることができるエネルギー蓄積部１１をさらに備えることができる。したがって、好ましくは、応答ユニット３は、それ自体のエネルギー供給源またはバッテリを所有していない。
【００１７】
問合せユニット２および応答ユニット３から成るシステムの機能の本質的な原理を、好ましい実施形態の中で、以下でより詳細に説明する。
【００１８】
問合せユニット２は、応答ユニット３へデータを送信するおよび／または応答ユニット３からデータを受信する位置にあるように構成されている。第１コイル４および第２コイル５は、この例では、アンテナとして構成されている。問合せユニット２は、電磁場を用いて応答ユニット３へエネルギーを送信する。エネルギーの伝達は、密結合を用いて１次巻線から２次巻線へエネルギーが伝達される変圧器内のものと同様に機能するため、電磁結合が参照される。電磁場を用いて結合されたエネルギーは、エネルギー蓄積部１１内の応答ユニット３によって一時的に蓄積される。応答ユニット３は、十分なエネルギーを受信すると直ちに、機能上使用可能になり、問合せユニット２によって発生されたパターンＭに対して、極めて特殊な形態および方式で応答する。
【００１９】
パターンＭおよび／または応答Ｍ’は、たとえばビットパターン／ビットシークエンスによって表現された数である。応答ユニット３を励起するパターンＭは、エネルギーを伝達し、応答Ｍ’を起動させる働きを主にするため、極めて複雑である必要はない。一実施形態では、パターンＭは、あるいはＨＦキャリアであり、位相変調された信号として発生されることもある。パターンＭは、単にエネルギーおよび応答の同期化を得るだけのために、応答ユニット３によって使用される。言い換えれば、パターンＭは、対応する応答Ｍ’を発生させるための応答ユニット３への命令として理解することができる。
【００２０】
このようにして、因果的応答と問合せの結合が保証される。
【００２１】
パターンＭは、一定である必要はなく、問合せユニット２によって、または外部ソースから事前に決定される。
【００２２】
しかし、問合せユニット２と応答ユニット３の間の古典的な変調方法（振幅変調ＡＭ、周波数変調ＦＭなど）によるデータ交換を行うこともできる。
【００２３】
応答ユニット３は、この変更が、対応する応答ユニット３のみによって行われ、別の要素によっては行われないことを保証するようにして、パターンＭを変更する。このことは、たとえば応答ユニット３が、明確な数の送信によって問合せに応答することで行うことができる。このようにして、応答ユニット３は、明確に識別される。
【００２４】
図３は、中央チェッキングユニット１２と直列に結合された、いくつかのスイッチング装置１の連結を示している。中央チェッキングユニット１２は、シリアルチャネル１３を用いて、セーフティチェーンＳのすべての問合せユニット２へデータワード書式でのコマンドｒ（ｘ）および命令ａ（ｗ）を送信する。電磁信号がそこから発生され、たとえば関数Ｍ（Ｒ，ｘ）によって表現することができるパターンＭとして、応答ユニット３へ送信される。パターンＭは、問合せユニット２の範囲内または有効な近傍にある場合について、各応答ユニット３を励起させる。各応答ユニット３は、特性関数ｆｉ（ｘ）を有する。ここで、ｉは、関与番号を表す、すなわち、この例では、応答ユニット３は、特性関数ｆ０（ｘ）、ｆ１（ｘ）およびｆ２（ｘ）によって表される。応答ユニット３は、それぞれの特性関数ｆｉ（ｘ）にてパターンＭを処理する。電磁的データとして形成され、たとえば関数Ｍ’（Ａ、ｆｉ（ｘ））によって表すことができる各応答Ｍ’は、データワード情報のアイテムに変換され、シリアルチャネル１３に沿って加算的に結合される。結果ａ（ｗ＋ｆｉ（ｘ））は、中央チェッキングユニット１２へ戻されて、記録される。これは、有効性について結果をチェックし、このようにして、セーフティチェーンＳの状態についての、すなわち個々のスイッチング装置１の状態についての判定を行う。中央チェッキングユニット１２は、当然、機能上使用可能であり、信頼性高いものでなければならず、このことは、知られている方式での豊富な選択肢（図示せず）によって保証することができる。応答ユニット３の応答Ｍ’は、加算的に連結することができ、このことにより、すべてのスイッチング装置１の応答が互いに独立であることが保証される。この例では、これは、特性関数ｆ０（ｘ）、ｆ１（ｘ）およびｆ２（ｘ）によって達成される。
【００２５】
中央チェッキングユニット１２との通信および中央チェッキングユニット１２へのデータ送信は、たとえばバス１３を用いて実施される。
【００２６】
応答ユニット３の特性関数ｆｉ（ｘ）は、たとえばテーブルに格納される。これは、関数値の確認が、関数引数によってアドレス指定された格納部からの読み出しにフィードバックされることを意味している。この場合、テーブルの構成は、再現されない初期化サイクルで行われる。テーブルのコンテンツは、これらがすべての応答ユニットに関して微分されるように選択される。その目的のために、線形関数ｆｉ（ｘ）＝ｕｉ＋ｖｉ＊Ｘを可能ならば使用することできる。ここで、虚部は確実に互いに分離される。円内の応答ユニット３の部分集合も識別される場合、それに適するように、より厳密であるように要件を選択しなければならない。一般的な場合、すべての追加の部分集合は、分離されなければならない。
【００２７】
好ましい変形実施形態が、以下の図４、５および６に図示した構成の結果として生じる。
【００２８】
応答ユニット３の重要な構成要素が、図４に示されている。応答ユニット３は、アドレス／データ格納部１４と、中間データ格納部１５と、ローカルチェッキングユニット１６と、変調／復調ユニット１７と、コイルとして構成されることができるアンテナ１８とを備える。パターンＭは、たとえば、関数Ｍ（Ｒ，ｘ）によって表現することができる。ここで、Ｒは問合せを、ｘはアドレスを表す。パターンＭ（Ｒ、ｘ）が、アンテナ１８によって受信され、次に変調／復調ユニット１７によって復調された場合、ローカル・チェッキングユニット１６への問合せＲとして通信される。その結果、パターンＭ（Ｒ、ｘ）は、アドレス／データ格納部から、アドレスｘを有するセルの読出しを行う。読み出された値は、結果ｆｉ（ｘ）として解釈され、コードＡによって変調され、したがって関数Ｍ’（Ａ、ｆｉ（ｘ））として表現できる応答Ｍ’としてアンテナ１８を用いて放射される。
【００２９】
アドレス／データ格納部の構成は、コンテンツが値ｆ（ｘ）でのアドレスｘに対応するように、それに応じたコマンドを有するアナログ機構を用いて行うこともできるが、たとえばレーザ、および半導体構造内の定数変化を用いて独立して行うこともできる。
【００３０】
いくつかの応答ユニットの応答Ｍ’の結合は、個々の結果をバス１３に沿った直列加算することによって行われる。このことを用いて、応答ユニット３の問合せを、適切なコマンドの使用によって起動させることができる。
【００３１】
問合せユニット２の重要な構成要素が、図５に示されている。問合せユニット２は、別のアンテナ１９と、別の変調／復調ユニット２０と、別のローカルチェッキングユニット２１と、別の中間データ格納部２２と、合成器２３と、シリアルバス１３に沿って配置されたバス結合部２４とを備える。
【００３２】
バスに沿って伝播される問合せコマンドｒ（ｘ）は、各問合せユニット内でパターンＭ（Ｒ、ｘ）の発生を起動させる。続いて別の中間データ格納部２２が、値０に設定される。別のアンテナ１９の十分近傍に配置されたすべての応答ユニット３が、その際応答Ｍ’（Ａ、ｆ（ｘ））によって応答する。この応答Ｍ’は復調され、結果として、別の中間データ格納部２２内に格納される。引数ｗを有する命令ａ（ｗ）が、その際バス１３によって実行され、このようにして、直列合成器２３内で合計ｗ＋ｆ（ｘ）が発生されて、バス結合部２４を用いてａ（ｗ＋ｆ（ｘ））として引き渡される。
【００３３】
結果を評価するために、すべてのタグの合計によって確認された結果が、問合せユニットによって確認されたものと比較され、一致の場合、安全回路が閉じていると評価される。
【００３４】
中央制御ユニット１２の重要な構成要素が、図６に示されている。中央チェッキングユニットは、制御ユニット２５と、乱数発生器２６と、格納部２７と、コンピュータ２８と、比較器２９と、問合せユニット２との直列結合を確実にする結合部３０とを備える。
【００３５】
安全回路の状態を判定するために、乱数発生器２６によって乱数引数ｘが発生され、コマンドｒ（ｘ）として問合せユニット２へ送信される。そのとき乱数引数ｘは、応答ユニット３のアドレス／データ格納部１４のアドレスに対応することになる。「目標値」ｆ＾０（ｘ）＋．．．＋ｆ＾Ｎ（ｘ）が、関数ｆｉに関して、データを用いて同時に計算され、格納部２７内に蓄積される。この場合、すべての応答ユニットＴ０．．．ＴＮが、特殊な安全状態を達成するために必要であると考慮される。良く測定された時間遅れによって、結果の問合せが、命令ａ（０）を用いて行われる。このようにして確認された結果ｆ０（ｘ）＋．．．＋ｆＮ（ｘ）が、比較器２９内で目標値と比較され、その結果に応じて、命令「回路閉鎖」または命令「回路開放」のいずれかが発行される。安全状態の評定は、周期的に、または問合せによって行うことができる。
【００３６】
他の関数ｆ（ｘ）を使用することもできる。理論上、ｆが、結果をチェックするために簡単な基準を使用できるように選択される。理想的な場合、ｆ（ｘ）の決定は極めて困難であるが、等号関係ｗ＝ｆ（ｘ）のチェックは極めて簡単である。この種の関数は、暗号作成の分野で「一方向関数」または「トラップドア関数」の表現のもとに十分知られている。この関数は、必ずしもスカラーの結果を出さなくてもよい。
【００３７】
知られている最も多様なバスシステムを、通信のために使用することができる。安全性がより高いヒエラルキ平面内で保証されるため、バスシステム自体への要求は極めて小さい。
【００３８】
問合せステーションの連結は、加算以外の関数によって行うこともできる。すべてのタブの個々の問合せを考慮することもできる。
【００３９】
構成要素に対する安全要求は低い。安全性は、主に情報の操作による結果としてもたらされる。比較器が信頼性高く動作して、その入力信号が独立したソース（計算機／バス）から発するように確実にすることのみが単に必要である。
【００４０】
直列接続された３つのセーフティデバイス１が中でモニターされる、図３によって示したセーフティチェーンＳに関しては、問合せユニット２によりバス１３に沿って伝播される問合せコマンドｒ（ｘ）が、中央チェッキングユニット１２によって発せられる。問合せコマンドｒ（ｘ）は、各問合せユニット２で、外見上応答ユニット３内で応答を発生させるための制御コマンドとして働く。ライン内の応答ユニット３は、特性関数ｆ０（ｘ）、ｆ１（ｘ）およびｆ２（ｘ）を有する。命令ａ（ｗ）が、中央チェッキングユニットによって特定の時間間隔で、または連続的にバス１３上に送信され、この命令は、外見上、応答Ｍ’を読み取り、それを引き渡すための読出しコマンドとして、問合せユニット２によって解釈される。ここに示した図３の例では、中央チェッキングユニット１２が、命令ａ（ｗ０）を、ライン内に見られるような第１の問合せユニット２へ送信する。ここで、ｗ０＝０が最初に設定される。第１の問合せユニット２は、回答Ｍ’を受信した後、命令ａ（ｗ１）を第２の問合せユニット２へ送信する。ここで、ｗ１＝ａ（ｗ０＋ｆ０（ｘ））である。この手順が、ライン内に見られるような第２および第３のスイッチング装置１によって、バス１３に沿って同じように繰返される。第３のスイッチング装置１の後、信号ａ（ｗ３）が、結果として中央チェッキングユニットへ戻され報告される。ここで、ｗ３＝ｆ０（ｘ）＋ｆ１（ｘ）＋ｆ２（ｘ）である。
【００４１】
昇降機装置のドアコンタクト用のセーフティチェーンとしての図３による連結が、図７に示されている。この例ではシャフトドア３２として構成されている昇降機のドア３２が、建物の３つの階３１に存在する。各シャフトドア３２は、第１ドアパネル３２’および第２ドアパネル３２”を有する。これらはドアを開閉するために互いに対して可動である。シャフトドア３２を閉じる方向が図４で矢印Ｐによって示されている。第１ドアパネル３２’は、問合せユニット２を有し、第２ドアパネル３２”は応答ユニット３を有する。問合せユニット２および応答ユニット３は、シャフトドア３２を閉じる際、本発明の意味において相互作用できるように、すなわち、上述の電磁的結合がそれらの間で生じるように、近接して各ドアパネル３２’および３２”に配置されている。問合せユニット２と応答ユニット３は、ドアが閉じられたときに重なるそれぞれのドアパネルの部分に配置されることが好ましい。問合せユニット２および応答ユニット３は、好ましくは、ドアパネル３２’および３２”がすでに機械的または電気力学的に施錠されているとき、本発明の意味において最初に相互作用できるように、対応するドアパネル３２’および３２”に配置されている。各シャフトドア３２の問合せユニット２は、バスライン１３を用いて、互いと、およびチェッキングユニット１２と直列接続されている。問合せユニット２の問合せ、応答ユニット３の応答およびチェッキングユニット１２へのデータ送信は、実際には図３に示したように機能する。本発明による方式で動作するこのセーフティチェーンＳの援助によって、シャフトドアのドアコンタクトを安全にモニターし、正確に識別することができる。誤起動は回避される。チェッキングユニット１２は、ドアコンタクトの状態を絶えずチェックし、図示されていない中央昇降機制御部と、従来通りに接続されている。
【００４２】
同じ原理を、昇降機のケージドアのために使用することもできる。
【００４３】
本発明によるモニター装置を、安全にするようにされた、昇降機の全ての位置で使用することができ、このことは、スイッチング装置を、昇降機の全てのセーフティスイッチに換えることができる。
【００４４】
アクティブおよび／またはパッシブユニットは、たとえば、エネルギー蓄積部またはアンテナを動作しないようにするスイッチコンタクトまたは半導体スイッチを備えることもできる。これは、たとえば既存の機械的コンタクトとともに使用することができる。
【図面の簡単な説明】
【図１】
休止状態、すなわち無効状態にあるセーフティチェーンのスイッチング装置を示す図である。
【図２】
動作状態、すなわち有効状態での図１のスイッチング装置を示す図である。
【図３】
いくつかのスイッチング装置の連結を示す図である。
【図４】
本発明の一実施形態によるパッシブユニットを示す図である。
【図５】
本発明の一実施形態によるアクティブユニットを示す図である。
【図６】
本発明の一実施形態による中央チェッキングユニットを示す図である。
【図７】
昇降機装置のドアコンタクト用のセーフティチェーンを示す図である。
【符号の説明】
１　スイッチング装置
２　問合せユニット
３　応答ユニット
４　第１コイル
５　第２コイル
６　ジェネレータ
７　第１変調器
８　第１復調器
９　第２変調器
１０　第２復調器
１１　エネルギー蓄積部
１２　中央チェッキングユニット
１３　シリアルチャネル／バス
１４　アドレス／データ格納部
１５　中間データ格納部
１６　ローカルチェッキングユニット
１７　変調／復調ユニット
１８　アンテナ
１９　別のアンテナ
２０　別の変調／復調ユニット
２１　別のローカルチェッキングユニット
２２　別の中間データ格納部
２３　合成器
２４　バス結合部
２５　制御ユニット
２６　乱数発生器
２７　格納部
２８　コンピュータ
２９　比較器
３０　結合部
３１　建物の階
３２　昇降機ドア
３２’　第１ドアパネル
３２”　第２ドアパネル
Ｍ　パターン
Ｍ’　応答
Ｐ　シャフトドアの閉じ方向
Ｓ　セーフティチェーン
【図１】
2004505868.tif 000003
【図２】
2004505868.tif 000004
【図３】
2004505868.tif 000005
【図４】
2004505868.tif 000006
【図５】
2004505868.tif 000007
【図６】
2004505868.tif 000008
【図７】
2004505868.tif 000009
【国際公開パンフレット】
2004505868.tif 000010
2004505868.tif 000011
2004505868.tif 000012
2004505868.tif 000013
2004505868.tif 000014
2004505868.tif 000015
2004505868.tif 000016
2004505868.tif 000017
2004505868.tif 000018
2004505868.tif 000019
2004505868.tif 000020
2004505868.tif 000021
2004505868.tif 000022
2004505868.tif 000023
2004505868.tif 000024
2004505868.tif 000025
2004505868.tif 000026
2004505868.tif 000027
2004505868.tif 000028
2004505868.tif 000029
2004505868.tif 000030
2004505868.tif 000031
2004505868.tif 000032
2004505868.tif 000033
2004505868.tif 000034
2004505868.tif 000035
【手続補正書】
【提出日】平成14年7月26日(2002.7.26)
【手続補正１】
【補正対象書類名】明細書
【補正対象項目名】特許請求の範囲
【補正方法】変更
【補正の内容】
【特許請求の範囲】
【請求項１】
少なくとも１つの接触することなく駆動可能なスイッチング装置（１）を備える昇降機用モニター装置であって、前記スイッチング装置（１）は、アクティブユニット（２）により発生されたパターン（Ｍ）によってパッシブユニット（３）が専ら励起されるように構成されている、アクティブユニット（２）およびパッシブユニット（３）を備え、前記パッシブユニット（３）が、前記アクティブおよびパッシブユニット（２、３）の間の所定の間隔から、前記アクティブユニット（２）の前記パターン（Ｍ）によって励起され、いくつかのスイッチング装置（１）および中央チェッキングユニット（１２）が設けられ、セーフティチェーン（Ｓ）内に接続されていることを特徴とするモニター装置。
【請求項２】
前記スイッチング装置（１）と前記中央チェッキングユニット（１２）が、直列に接続されていることを特徴とする請求項１に記載のモニター装置。
【請求項３】
前記アクティブユニット（２）が第１コイル（４）を備え、前記パッシブユニット（３）が第２コイル（５）を備えることを特徴とする請求項１から２のいずれか一項に記載のモニター装置。
【請求項４】
前記パッシブユニット（３）が、エネルギーを蓄積するエネルギー蓄積部（１１）を備えることを特徴とする請求項１から３のいずれか一項に記載のモニター装置。
【請求項５】
前記パターン（Ｍ）が、ビットパターンまたはビットシークエンスによって表現することができる数であることを特徴とする請求項１から４のいずれか一項に記載のモニター装置。
【請求項６】
前記昇降機が、第１ドアパネル（３２’）および第２ドアパネル（３２”）を備える少なくとも１つの昇降機ドア（３２）を備え、前記アクティブユニット（２）が前記第１ドアパネル（３２’）に配置され、前記パッシブユニット（３）が前記第２ドアパネル（３２”）に配置されていることを特徴とする請求項１から５のいずれか一項に記載のモニター装置。
【請求項７】
昇降機ドア（３２）が、シャフトドアまたはケージドアであることを特徴とする請求項６に記載のモニター装置。
【請求項８】
前記アクティブユニット（２）がトランシーバとして構成され、前記パッシブユニット（３）がトランポンダとして構成されていることを特徴とする請求項１から７のいずれか一項に記載のモニター装置。
【請求項９】
パターン（Ｍ）がアクティブユニット（２）によって発生されてパッシブユニット（３）へ送信され、前記パターン（Ｍ）が、前記アクティブおよびパッシブユニット（２、３）の間の所定の間隔で前記パッシブユニット（３）によって受信され、応答（Ｍ’）が前記パッシブユニット（３）によって発生されて前記アクティブユニット（２）へ送信され、前記応答（Ｍ’）が前記アクティブユニット（２）によって受信される、いくつかのスイッチング装置（１）および中央チェッキングユニット（１２）によって接続された昇降機のセーフティチェーン（Ｓ）をモニタリングする方法。
【請求項１０】
所定の間隔を超えた場合、パッシブユニット（３）によって応答（Ｍ’）が発生されないことを特徴とする請求項９に記載の方法。
【国際調査報告】
2004505868.tif 000036
2004505868.tif 000037
2004505868.tif 000038
2004505868.tif 000039
2004505868.tif 000040
2004505868.tif 000041